(57)【要約】【課題】より確実に伝送制御信号を伝送することができるようにする。【解決手段】第１の方式に対応した第１のコンテンツの信号及び第２の方式に対応した第２のコンテンツの信号を含む第１の放送信号に、第１の方式に対応した第１の伝送制御信号を含めて第１の送信アンテナを介して送信するとともに、第２のコンテンツの信号を含む第２の放送信号に、第２の方式に対応した第２の伝送制御信号を含めて第２の送信アンテナを介して送信する送信部を備える送信装置が提供される。本技術は、例えば、ISDB-T方式等の放送方式に対応した伝送システムに適用することができる。【選択図】図６
2020096231.tif 000002
【特許請求の範囲】
【請求項１】
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、
前記第２のコンテンツの信号を含む第２の放送信号に、前記第２の方式に対応した第２の伝送制御信号を含めて第２の送信アンテナを介して送信する
送信部を備える
送信装置。
【請求項２】
前記送信部は、前記第１の送信アンテナ及び前記第２の送信アンテナを用いたMIMO方式に対応しており、
前記第１の放送信号は、水平偏波として送信され、
前記第２の放送信号は、垂直偏波として送信される
請求項１に記載の送信装置。
【請求項３】
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは対応している
請求項２に記載の送信装置。
【請求項４】
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは異なっている
請求項２に記載の送信装置。
【請求項５】
前記垂直偏波において、
前記水平偏波における前記第１の伝送制御信号を伝送するキャリアの位置に対応する対応位置のキャリアで、NULLが伝送され、
前記対応位置を除いた位置のキャリアで、前記第２の伝送制御信号を伝送する
請求項４に記載の送信装置。
【請求項６】
前記対応位置は、前記水平偏波におけるパイロット信号を伝送するキャリアの位置に対応する位置をさらに含む
請求項５に記載の送信装置。
【請求項７】
前記水平偏波は、前記第２のコンテンツの信号の一部を含み、
前記垂直偏波は、前記第２のコンテンツの信号の残りの一部を含む
請求項２に記載の送信装置。
【請求項８】
前記第２の方式は、前記第１の方式の次世代方式を含み、
前記送信部は、前記第１の方式と前記第２の方式との移行期間に、前記第１の放送信号に前記第１の伝送制御信号を含めて前記第１の送信アンテナを介して送信するとともに、前記第２の放送信号に前記第２の伝送制御信号を含めて前記第２の送信アンテナを介して送信する
請求項１に記載の送信装置。
【請求項９】
前記第１の方式は、ISDB-T方式を含み、
前記第２の方式は、前記ISDB-T方式の次世代方式を含む
請求項８に記載の送信装置。
【請求項１０】
送信装置が、
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、
前記第２のコンテンツの信号を含む第２の放送信号に、前記第２の方式に対応した第２の伝送制御信号を含めて第２の送信アンテナを介して送信する
送信方法。
【請求項１１】
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置
から送信されてくる前記第１の放送信号を第１の受信アンテナを介して受信する受信部を備える
受信装置。
【請求項１２】
受信した前記第１の放送信号に含まれる前記第１の伝送制御信号に基づいて、受信した前記第１の放送信号に含まれる前記第１のコンテンツの信号に対する復調及び復号を含む処理を行う第１の信号処理部をさらに備える
請求項１１に記載の受信装置。
【請求項１３】
前記受信部は、前記第１の放送信号を前記第１の受信アンテナを介して受信するとともに、前記第２の放送信号を第２の受信アンテナを介して受信し、
受信した前記第２の放送信号に含まれる前記第２の伝送制御信号に基づいて、受信した前記第１の放送信号及び前記第２の放送信号に含まれる前記第２のコンテンツの信号に対する復調及び復号を含む処理を行う第２の信号処理部をさらに備える
請求項１１に記載の受信装置。
【請求項１４】
前記第１の放送信号は、MIMO方式における水平偏波として送信され、
前記第２の放送信号は、MIMO方式における垂直偏波として送信される
請求項１１に記載の受信装置。
【請求項１５】
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは対応している
請求項１４に記載の受信装置。
【請求項１６】
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは異なっている
請求項１４に記載の受信装置。
【請求項１７】
前記垂直偏波において、
前記水平偏波における前記第１の伝送制御信号を伝送するキャリアの位置に対応する対応位置のキャリアで、NULLが伝送され、
前記対応位置を除いた位置のキャリアで、前記第２の伝送制御信号を伝送する
請求項１６に記載の受信装置。
【請求項１８】
前記対応位置は、前記水平偏波におけるパイロット信号を伝送するキャリアの位置に対応する位置をさらに含む
請求項１７に記載の受信装置。
【請求項１９】
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる放送信号を受信可能な受信装置が、
前記送信装置から送信されてくる前記第１の放送信号を第１の受信アンテナを介して受信し、
受信した前記第１の放送信号に含まれる前記第１の伝送制御信号に基づいて、受信した前記第１の放送信号に含まれる前記第１のコンテンツの信号に対する復調及び復号を含む処理を行う
受信方法。
【請求項２０】
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる放送信号を受信可能な受信装置が、
前記送信装置から送信されてくる前記第１の放送信号を第１の受信アンテナを介して受信するとともに、前記第２の放送信号を第２の受信アンテナを介して受信し、
受信した前記第２の放送信号に含まれる前記第２の伝送制御信号に基づいて、受信した前記第１の放送信号及び前記第２の放送信号に含まれる前記第２のコンテンツの信号に対する復調及び復号を含む処理を行う
受信方法。
【発明の詳細な説明】
【技術分野】
【０００１】
本技術は、送信装置、送信方法、受信装置、及び受信方法に関し、特に、より確実に伝送制御信号を伝送することができるようにした送信装置、送信方法、受信装置、及び受信方法に関する。
【背景技術】
【０００２】
例えば、日本では、地上デジタルテレビジョン放送の次世代化に向けた高度化の検討が行われ、様々な技術方式の検討がなされている（例えば、特許文献１参照）。
【先行技術文献】
【特許文献】
【０００３】
【特許文献１】特開2017-192052号公報
【発明の概要】
【発明が解決しようとする課題】
【０００４】
ところで、次世代の放送方式の運用を開始するにあたっては、現行の放送方式から次世代の放送方式への移行期間が設けられるが、その移行期間においては、現行方式に対応した受信装置と、次世代方式に対応した受信装置のそれぞれに対して、より確実に伝送制御信号を伝送することが求められる。
【０００５】
本技術はこのような状況に鑑みてなされたものであり、より確実に伝送制御信号を伝送することができるようにするものである。
【課題を解決するための手段】
【０００６】
本技術の一側面の送信装置は、第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置である。
【０００７】
本技術の一側面の送信方法は、送信装置が、第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信方法である。
【０００８】
本技術の一側面の送信装置、及び送信方法においては、第１の方式に対応した第１のコンテンツの信号及び第２の方式に対応した第２のコンテンツの信号が含まれる第１の放送信号に、前記第１の方式に対応した第１の伝送制御信号が含められて第１の送信アンテナを介して送信されるとともに、前記第２のコンテンツの信号が含まれる第２の放送信号に、前記第２の方式に対応した第２の伝送制御信号が含められて第２の送信アンテナを介して送信される。
【０００９】
本技術の一側面の受信装置は、第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる前記第１の放送信号を第１の受信アンテナを介して受信する受信部を備える受信装置である。
【００１０】
本技術の一側面の受信方法は、第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる放送信号を受信可能な受信装置が、前記送信装置から送信されてくる前記第１の放送信号を第１の受信アンテナを介して受信し、受信した前記第１の放送信号に含まれる前記第１の伝送制御信号に基づいて、受信した前記第１の放送信号に含まれる前記第１のコンテンツの信号に対する復調及び復号を含む処理を行う受信方法である。
【００１１】
また、本技術の一側面の受信方法は、第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる放送信号を受信可能な受信装置が、前記送信装置から送信されてくる前記第１の放送信号を第１の受信アンテナを介して受信するとともに、前記第２の放送信号を第２の受信アンテナを介して受信し、受信した前記第２の放送信号に含まれる前記第２の伝送制御信号に基づいて、受信した前記第１の放送信号及び前記第２の放送信号に含まれる前記第２のコンテンツの信号に対する復調及び復号を含む処理を行う受信方法である。
【００１２】
本技術の一側面の受信装置、及び受信方法においては、第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる前記第１の放送信号が第１の受信アンテナを介して受信され、受信された前記第１の放送信号に含まれる前記第１の伝送制御信号に基づいて、受信した前記第１の放送信号に含まれる前記第１のコンテンツの信号に対する復調及び復号を含む処理が行われる。
【００１３】
また、本技術の一側面の受信装置、及び受信方法においては、第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる前記第１の放送信号が第１の受信アンテナを介して受信されるとともに、前記第２の放送信号が第２の受信アンテナを介して受信され、受信された前記第２の放送信号に含まれる前記第２の伝送制御信号に基づいて、受信された前記第１の放送信号及び前記第２の放送信号に含まれる前記第２のコンテンツの信号に対する復調及び復号を含む処理が行われる。
【００１４】
なお、本技術の一側面の送信装置、及び受信装置は、独立した装置であってもよいし、１つの装置を構成している内部ブロックであってもよい。
【図面の簡単な説明】
【００１５】
【図１】本技術を適用した伝送システムの一実施の形態の構成を示す図である。
【図２】MIMO方式の伝送を模式的に表した図である。
【図３】水平偏波のキャリア配置の例を示す図である。
【図４】垂直偏波のキャリア配置の第１の例を示す図である。
【図５】垂直偏波のキャリア配置の第２の例を示す図である。
【図６】送信装置の構成の例を示すブロック図である。
【図７】送信処理の流れを説明するフローチャートである。
【図８】受信装置の構成の例を示すブロック図である。
【図９】現行方式に対応した受信処理の流れを説明するフローチャートである。
【図１０】次世代方式に対応した受信処理の流れを説明するフローチャートである。
【図１１】コンピュータの構成例を示す図である。
【発明を実施するための形態】
【００１６】
以下、図面を参照しながら本技術の実施の形態について説明する。なお、説明は以下の順序で行うものとする。
【００１７】
１．本技術の実施の形態
２．変形例
３．コンピュータの構成
【００１８】
＜１．本技術の実施の形態＞
【００１９】
（伝送システムの構成例）
図１は、本技術を適用した伝送システムの一実施の形態の構成を示す図である。なお、システムとは、複数の装置が論理的に集合したものをいう。
【００２０】
図１において、伝送システム１は、地上デジタルテレビジョン放送等の放送方式に対応したシステムである。伝送システム１は、各放送局に関連する施設に設置されるデータ処理装置１１−１乃至１１−Ｎ（Ｎは１以上の整数）と、送信所に設置される送信装置１０と、各ユーザにより所有される受信装置２０−１乃至２０−Ｍ（Ｍは１以上の整数）から構成される。
【００２１】
また、この伝送システム１において、データ処理装置１１−１乃至１１−Ｎと、送信装置１０とは、通信回線１２−１乃至１２−Ｎを介して接続されている。なお、通信回線１２−１乃至１２−Ｎは、例えば専用線とすることができる。
【００２２】
データ処理装置１１−１は、放送局Ａにより制作された放送コンテンツ（例えば放送番組等）のデータにエンコード等の必要な処理を施し、その結果得られる伝送データを、通信回線１２−１を介して送信装置１０に送信する。
【００２３】
データ処理装置１１−２乃至１１−Ｎにおいては、データ処理装置１１−１と同様に、放送局Ｂや放送局Ｚ等の各放送局により制作された放送コンテンツのデータが処理され、その結果得られる伝送データが、通信回線１２−２乃至１２−Ｎを介して送信装置１０に送信される。
【００２４】
送信装置１０は、通信回線１２−１乃至１２−Ｎを介して、放送局側のデータ処理装置１１−１乃至１１−Ｎから送信されてくる伝送データを受信する。送信装置１０は、データ処理装置１１−１乃至１１−Ｎからの伝送データに符号化や変調等の必要な処理を施し、その結果得られる放送信号を、送信所に設置された送信用のアンテナから送信する。
【００２５】
これにより、送信所側の送信装置１０からの放送信号は、所定の周波数帯の電波によって、受信装置２０−１乃至２０−Ｍにそれぞれ送信される。
【００２６】
受信装置２０−１乃至２０−Ｍは、例えば、テレビ受像機やセットトップボックス（STB：Set Top Box）などの固定受信機として構成され、各ユーザの自宅等に設置される。
【００２７】
受信装置２０−１は、所定の周波数帯の電波によって、送信装置１０から送信されてくる放送信号を受信して復調や復号、デコード等の必要な処理を施すことで、ユーザによる選局操作に応じた放送コンテンツ（例えば放送番組等）を再生する。
【００２８】
受信装置２０−２乃至２０−Ｍにおいては、受信装置２０−１と同様に、送信装置１０からの放送信号が処理され、ユーザによる選局操作に応じた放送コンテンツが再生される。
【００２９】
このようにして、受信装置２０においては、放送コンテンツの映像がディスプレイに表示され、その映像に同期した音声がスピーカから出力されるため、ユーザは、放送番組等の放送コンテンツを視聴することができる。
【００３０】
なお、伝送システム１において、Ｍ台の受信装置２０には、現行方式に対応したものと、次世代方式に対応したものが混在している。そこで、以下の説明では、現行方式に対応した受信装置２０を、現行受信装置２０Ｌと称し、次世代方式に対応（すなわち、次世代方式にのみ対応、又は現行方式と次世代方式の両方式に対応）した受信装置２０を、次世代受信装置２０Ｎと称して区別する。ただし、現行受信装置２０Ｌと次世代受信装置２０Ｎとを、特に区別する必要がない場合には、単に受信装置２０と称する。
【００３１】
ところで、日本では、地上デジタルテレビジョン放送の次世代化に向けた高度化の検討が行われている。ここで、現行の放送方式（現行方式）から次世代の放送方式（次世代方式）への移行方法の１つとして、現行の周波数帯域を用いて、互換性のある次世代方式を導入することが検討されている。
【００３２】
この放送方式の移行期間においては、現行方式の放送信号（以下、現行放送信号ともいう）と、次世代方式の放送信号（以下、次世代放送信号ともいう）を、複数の送受信用のアンテナを用いたMIMO(Multiple Input Multiple Output)方式を採用して伝送する方式が想定される。
【００３３】
具体的には、日本では、地上デジタルテレビジョン放送の現行方式として、ISDB-T(Integrated Services Digital Broadcasting - Terrestrial)方式が採用されている。ISDB-T方式では、１つのチャンネル（周波数帯域）に割り当てられる直交周波数分割多重（OFDM：Orthogonal Frequency Division Multiplexing）が施された複数のサブキャリアの周波数帯域が13個のセグメントに分割されている。なお、OFDMは、デジタル変調の一種で、ある周波数帯域内に複数の異なるサブキャリア（副搬送波）を形成してそれらを同時に伝送することで多重化を行うものである。
【００３４】
そして、13個のセグメントのうち、12個のセグメントが、固定受信機向けの放送に用いられ、残りの１セグメントがモバイル受信機向けの放送（いわゆるワンセグ放送）に用いられる。また、これらの13個のセグメントにおいて、同時に放送用のデータが送信される。
【００３５】
このようなセグメントの構成を有する現行方式（ISDB-T方式）に対して、周波数帯域幅を増やすことなく、伝送容量を拡大する無線技術として、MIMO方式（偏波MIMO方式）の利用が想定される。すなわち、放送方式の移行期間において、MIMO方式（偏波MIMO方式）を用いることで、水平偏波で、現行放送信号と次世代放送信号を含む放送信号を伝送し、垂直偏波で、次世代放送信号を含む放送信号を伝送することができる。
【００３６】
ここで、図２は、MIMO方式の伝送を模式的に表している。図２において、横軸は、周波数を表している。
【００３７】
図２では、１つのチャンネルの周波数帯域を示しており、縦方向の破線で示すように、各周波数帯域は、複数のセグメント（例えば、現行方式（ISDB-T方式）の場合には13個のセグメント）から構成される。
【００３８】
ここでは、MIMO方式を用いているため、図２のＡに示すように、水平偏波によって、現行放送信号と次世代放送信号を含む放送信号、すなわち、現行２Ｋ放送及びワンセグ放送、並びに次世代４Ｋ放送が伝送される。
【００３９】
具体的には、13個のセグメントのうち、中央の１セグメントがワンセグ放送に用いられ、その左右の３セグメントと２セグメントが次世代４Ｋ放送に用いられ、さらにその左右の３セグメントと４セグメントが現行２Ｋ放送に用いられる。
【００４０】
なお、現行２Ｋ放送（の現行放送信号）では、２Ｋ映像に対応した２Ｋコンテンツが伝送される。また、次世代４Ｋ放送（の次世代放送信号）では、４Ｋ映像に対応した４Ｋコンテンツが伝送される。
【００４１】
一方で、図２のＢに示すように、垂直偏波によって、次世代放送信号を含む放送信号、すなわち、次世代４Ｋ放送が伝送される。
【００４２】
具体的には、垂直偏波のセグメントの構成としては、上述の水平偏波に対応して、中央の１セグメントの左右の３セグメントと２セグメントに対応した５セグメントが、次世代４Ｋ放送に用いられる。
【００４３】
このような水平偏波と垂直偏波からなる放送信号が送信装置１０から送信されることで、現行受信装置２０Ｌでは、水平偏波の放送信号が受信され、現行２Ｋ放送に対応した２Ｋコンテンツ等が視聴可能とされる。また、次世代受信装置２０Ｎでは、水平偏波と垂直偏波の放送信号が受信され、次世代４Ｋ放送に対応した４Ｋコンテンツが視聴可能とされる。
【００４４】
このように、現行方式（ISDB-T方式）のセグメント構成を拡張して、次世代４Ｋ放送の次世代放送信号を追加する方式として、MIMO方式があり、この方式を用いることで、次世代４Ｋ放送を現行方式（ISDB-T方式）の仕様で伝送可能となる。そのため、現行受信装置２０Ｌに影響を与えずに、次世代受信装置２０Ｎに向けて、一部のセグメントを利用して、次世代４Ｋ放送（の４Ｋコンテンツ）を伝送することができる。
【００４５】
ここで、現行方式としてのISDB-T方式では、伝送制御信号として、TMCC(Transmission Multiplexing Configuration Control)が規定されている。TMCC信号は、各階層の変調方式や誤り訂正符号化率等の伝送パラメータなどの情報を含む。
【００４６】
次世代４Ｋ放送で用いられるTMCC信号は、現行２Ｋ放送で用いられるTMCC信号とは異なるため、MIMO方式を用いる場合に、水平偏波の放送信号に、次世代４Ｋ放送（の次世代放送信号）を含めるとき、データキャリアは問題ないが、TMCC信号は、現行２Ｋ放送に対応したTMCC信号でないと、現行受信装置２０Ｌに影響を及ぼすことになる。
【００４７】
そこで、本技術では、現行方式から次世代方式への移行期間において、MIMO方式を用いる場合に、水平偏波の放送信号では、現行方式の仕様に対応したTMCC信号（以下、現行TMCC信号という）を伝送する一方で、垂直偏波の放送信号では、次世代方式の仕様に対応したTMCC信号（以下、次世代TMCC信号という）を伝送するようにする。
【００４８】
これにより、水平偏波の放送信号を受信する現行受信装置２０Ｌでは、水平偏波の放送信号に含まれる現行TMCC信号を受信でき、水平偏波と垂直偏波の放送信号を受信する次世代受信装置２０Ｎでは、垂直偏波の放送信号に含まれる次世代TMCC信号を受信することができる。そのため、水平偏波の放送信号しか受信しない現行受信装置２０Ｌに影響を及ぼすことなく、次世代受信装置２０Ｎに対し、次世代TMCC信号を伝送することが可能となる。
【００４９】
以下、移行期間において、MIMO方式を用いて、現行受信装置２０Ｌに影響を与えずに、次世代受信装置２０Ｎのみが、次世代TMCC信号を受信可能にした本技術を、図３乃至図１０を参照しながら詳細に説明する。
【００５０】
（水平偏波の配置例）
図３は、水平偏波のキャリア配置の例を示している。
【００５１】
図３において、水平偏波の放送信号には、現行TMCC信号を含めている（図３のＡ）。また、この水平偏波のキャリア配置は、現行方式（ISDB-T方式）に準拠している（図３のＢ）。
【００５２】
すなわち、図３のＢは、横方向をキャリア番号（周波数軸）とし、縦方向をOFDMシンボル番号（時間軸）としたときの水平偏波のキャリアの構成を示し、縦横方向に配置された「S」又は「SP」である文字が記された各矩形が、変調シンボルを表している。
【００５３】
図３のＢにおいて、変調シンボルのうち、「S」である文字を記した変調シンボルが、データ伝送に用いるデータシンボルであり、「SP」である文字を記した変調シンボルがパイロットシンボル（パイロット信号）である。パイロットシンボルは、参照信号として用いられる。
【００５４】
例えば、パイロットシンボルは、少ないパイロットシンボル数で時間及び周波数方向の分解能を持つために、時間及び周波数方向に離散的に配置されており、この様子から、スキャッタードパイロット（SP：Scattered Pilot）シンボル（SP信号）と呼ばれる。また、データシンボルに記されているSi,jの添字は、周波数方向にｉ番目で、時間方向にｊ番目のデータシンボルであることを意味している。
【００５５】
また、図３のＢにおいて、水平偏波のキャリアとして、TMCC信号を伝送するTMCCキャリアと、AC(Auxiliary Channel)信号を伝送するACキャリアが含まれる。TMCC信号は、伝送パラメータ等を含む伝送制御信号である。AC信号は、放送に関する付加情報が含まれる。
【００５６】
ここで、本技術では、水平偏波のキャリア配置が、現行方式（ISDB-T方式）に準拠しており、さらにキャリア配置だけでなく、TMCCキャリアで伝送されるTMCC信号も、現行方式（ISDB-T方式）の仕様に対応した現行TMCC信号とされる。換言すれば、移行期間において、MIMO方式による水平偏波では、現行２Ｋ放送やワンセグ放送に対応した放送コンテンツとともに、現行TMCC信号が伝送されることになる。
【００５７】
なお、現行受信装置２０Ｌでは、TMCC信号を用いて通信路推定や伝送路品質を測定する場合が想定されるため、水平偏波の放送信号で伝送される現行TMCC信号は、現状と同品質であることが望ましい。
【００５８】
（垂直偏波の配置例）
図４は、垂直偏波のキャリア配置の第１の例を示している。
【００５９】
図４において、垂直偏波の放送信号には、次世代TMCC信号を含めている（図４のＡ）。また、この垂直偏波キャリア配置は、例えば、現行方式（ISDB-T方式）に準拠したものとする（図４のＢ）。
【００６０】
すなわち、図４のＢは、横方向をキャリア番号とし、縦方向をOFDMシンボルとしたときの垂直偏波のキャリアの構成を示し、図３のＢに示した水平偏波のキャリア配置の構成に対応している。
【００６１】
なお、ここでは、垂直偏波のキャリア配置（図４のＢ）が、水平偏波のキャリア配置（図３のＢ）に対応した場合を一例に説明するが、垂直偏波のキャリア配置は、次世代方式に準拠したものであって、水平偏波のキャリア配置と異なってもよい。
【００６２】
ここで、本技術では、垂直偏波のキャリア配置が、次世代方式（ISDB-T方式の次世代方式）に準拠しており、さらにキャリア配置だけでなく、TMCCキャリアで伝送されるTMCC信号も、次世代方式の仕様に対応した次世代TMCC信号とされる。換言すれば、移行期間において、MIMO方式による垂直偏波では、次世代４Ｋ放送に対応した放送コンテンツとともに、次世代TMCC信号が伝送されることになる。
【００６３】
このように、本技術では、MIMO方式による水平偏波（のTMCCキャリア）によって現行TMCC信号を伝送し、垂直偏波（のTMCCキャリア）によって次世代TMCC信号を伝送することで、水平偏波では、次世代４Ｋ放送に対応したセグメント（中央の１セグメントに対する左右の３セグメントと２セグメント）でも、現行２Ｋ放送及びワンセグ放送と同一の伝送制御信号（現行TMCC信号）が伝送されることになる。
【００６４】
すなわち、TMCC信号は、雑音耐性強化のために、全てのセグメント（例えば、13個の全てのセグメント）で同一の情報を伝送する必要があり、仮に異なる情報を伝送すると、現行受信装置２０Ｌ側で問題が起きる可能性がある。よって、本技術では、水平偏波（のTMCCキャリア）では、現行TMCC信号のみを伝送し、次世代TMCC信号は、垂直偏波（のTMCCキャリア）を用いて伝送しているのである。
【００６５】
図５は、垂直偏波のキャリア配置の第２の例を示している。
【００６６】
垂直偏波のキャリアにおいて、TMCCキャリアの位置は、図４のＢに示した例に限らず、他のキャリア位置に配置してもよい。例えば、図５のＢにおいて、現行TMCC信号に対応したキャリア位置は、NULL（図中の黒塗りの部分）とし、別のキャリア位置をTMCCキャリアとして、次世代TMCC信号を伝送する。
【００６７】
すなわち、本技術では、水平偏波（のTMCCキャリア）では、現行TMCC信号のみを伝送し、次世代TMCC信号は、垂直偏波（のTMCCキャリア）を用いて伝送するが、現行受信装置２０Ｌでは、TMCC信号の受信信号を用いて通信路推定等が行われる場合がある。
【００６８】
ここで、MIMO方式を用いた場合には、搬送電波の回転やアンテナ信号の信号分離などにより、水平偏波と垂直偏波の干渉が発生する可能性があるが、本技術では、垂直偏波において、水平偏波における現行TMCC信号（を配置したキャリア位置）に対応したキャリア位置を、NULL（図中の黒塗りの部分）として、別のキャリア位置に、次世代TMCC信号を配置する。
【００６９】
これにより、現行TMCC信号を伝送する水平偏波のTMCCキャリアの位置と、次世代TMCC信号を伝送する垂直偏波のTMCCキャリアの位置とが異なるため、垂直偏波による水平偏波への干渉を抑えることができる。
【００７０】
また、水平偏波と垂直偏波とで、TMCCキャリアの位置を異ならせる場合に、水平偏波における現行方式のSP信号（スキャッタードパイロットシンボル）への影響を考慮して、垂直偏波におけるTMCCキャリアの位置が、水平偏波における現行方式のSP信号のキャリア位置と異なることが望ましい。
【００７１】
このように、次世代TMCC信号を伝送する垂直偏波では、キャリア位置や信号フォーマットは、現行方式（ISDB-T方式）と同一である必要はなく、例えば、図５に示したように、水平偏波と垂直偏波とで、TMCCキャリアの位置を異ならせるなど、垂直偏波での次世代TMCC信号の伝送方式としては、様々な伝送方式を用いることができる。
【００７２】
例えば、他の伝送方式として、垂直偏波で、次世代TMCC信号に含める情報や、キャリア位置などを、次世代方式の仕様に合わせることで、移行期間と移行後において、次世代受信装置２０Ｎでの制御を共通化することができる。
【００７３】
（送信装置の構成）
図６は、図１の送信装置１０の構成の例を示すブロック図である。
【００７４】
図６において、送信装置１０は、FEC符号化変調・インタリーブ部１１１−１、FEC符号化変調・インタリーブ部１１１−２、OFDMフレーム構成部１１２−１、OFDMフレーム構成部１１２−２、TMCC生成部１１３−１、TMCC生成部１１３−２、パイロット生成部１１４、IFFT部１１５−１、IFFT部１１５−２、GI付加部１１６−１、及びGI付加部１１６−２から構成される。
【００７５】
FEC符号化変調・インタリーブ部１１１−１は、現行方式の仕様に対応した前方誤り訂正（FEC）やインタリーブに関する処理を行う信号処理部である。FEC符号化変調・インタリーブ部１１１−１には、伝送データとして２Ｋコンテンツの信号（2K信号）が入力される。
【００７６】
FEC符号化変調・インタリーブ部１１１−１は、そこに入力される2K信号に対して、例えば、前方誤り訂正符号化変調処理、時間インタリーブ、及び周波数インタリーブ等の処理を施し、その結果得られる2K FEC信号を、OFDMフレーム構成部１１２−１に供給する。
【００７７】
また、FEC符号化変調・インタリーブ部１１１−２は、次世代方式の仕様に対応した前方誤り訂正（FEC）やインタリーブに関する処理を行う信号処理部である。FEC符号化変調・インタリーブ部１１１−２には、伝送データとして４Ｋコンテンツの信号（4K信号）が入力される。
【００７８】
FEC符号化変調・インタリーブ部１１１−２は、そこに入力される4K信号に対して、例えば、前方誤り訂正符号化変調処理、時間インタリーブ、及び周波数インタリーブ等の処理を施し、その結果得られる4K FEC信号を、OFDMフレーム構成部１１２−１及びOFDMフレーム構成部１１２−２に供給する。
【００７９】
TMCC生成部１１３−１は、現行方式に対応した伝送制御信号として、現行TMCC信号を生成し、OFDMフレーム構成部１１２−１に供給する。
【００８０】
TMCC生成部１１３−２は、次世代方式に対応した伝送制御信号として、次世代TMCC信号を生成し、OFDMフレーム構成部１１２−２に供給する。
【００８１】
なお、次世代TMCC信号には、現行TMCC信号と比べて、例えばFECブロックポインタ等の情報が追加されている。FECブロックポインタは、OFDMフレームの先頭に含まれるFECブロックの先頭位置のオフセットを示すポインタである。
【００８２】
パイロット生成部１１４は、パイロット信号（SP信号）を生成し、OFDMフレーム構成部１１２−１及びOFDMフレーム構成部１１２−２に供給する。
【００８３】
OFDMフレーム構成部１１２−１は、現行方式の仕様に対応したOFDMフレームに関する処理を行う送信部（の一部）である。OFDMフレーム構成部１１２−１には、FEC符号化変調・インタリーブ部１１１−１からの2K FEC信号、FEC符号化変調・インタリーブ部１１１−２からの4K FEC信号、TMCC生成部１１３−１からの現行TMCC信号、及びパイロット生成部１１４からのパイロット信号が供給される。
【００８４】
OFDMフレーム構成部１１２−１は、2K FEC信号、4K FEC信号、現行TMCC信号、及びパイロット信号に基づいて、現行方式に対応したOFDMフレームを構成し、その結果得られる変調信号を、IFFT部１１５−１に供給する。
【００８５】
IFFT部１１５−１は、OFDMフレーム構成部１１２−１から供給される変調信号に対し、逆高速フーリエ変換(IFFT：Inverse Fast Fourier Transform)を施して、周波数領域の信号から時間領域の信号に変換し、その結果得られる時間領域の変調信号を、GI付加部１１６−１に供給する。
【００８６】
GI付加部１１６−１は、IFFT部１１５−１から供給される時間領域の変調信号に対し、ガードインターバル（GI：Guard Interval）を付加する。このガードインターバルを付加した時間領域の変調信号は、送信アンテナ１２１−１を介して、水平偏波の放送信号として送出（送信）される。
【００８７】
OFDMフレーム構成部１１２−２は、次世代方式の仕様に対応したOFDMフレームに関する処理を行う送信部（の一部）である。OFDMフレーム構成部１１２−２には、FEC符号化変調・インタリーブ部１１１−２からの4K FEC信号、TMCC生成部１１３−２からの次世代TMCC信号、及びパイロット生成部１１４からのパイロット信号が供給される。
【００８８】
OFDMフレーム構成部１１２−２は、4K FEC信号、次世代TMCC信号、及びパイロット信号に基づいて、次世代方式に対応したOFDMフレームを構成し、その結果得られる変調信号を、IFFT部１１５−２に供給する。
【００８９】
IFFT部１１５−２は、OFDMフレーム構成部１１２−２から供給される変調信号に対し、IFFTを施して周波数領域の信号から時間領域の信号に変換し、その結果得られる時間領域の変調信号を、GI付加部１１６−２に供給する。
【００９０】
GI付加部１１６−２は、IFFT部１１５−２から供給される時間領域の変調信号に対し、ガードインターバル（GI）を付加する。このガードインターバルを付加した時間領域の変調信号は、送信アンテナ１２１−２を介して、垂直偏波の放送信号として送出（送信）される。
【００９１】
以上のように構成される送信装置１０では、MIMO方式を用いることで、送信アンテナ１２１−１を介して送信される水平偏波（図３の水平偏波）の放送信号により2K信号及び4K信号とともに現行TMCC信号が伝送され、送信アンテナ１２１−２を介して送信される垂直偏波（図４又は図５の垂直偏波）の放送信号により4K信号とともに次世代TMCC信号が伝送される。
【００９２】
なお、図６に示した送信装置１０においては、OFDMフレーム構成部１１２−１、IFFT部１１５−１、及びGI付加部１１６−１によって、送信アンテナ１２１−１を介して水平偏波の放送信号が送信され、OFDMフレーム構成部１１２−２、IFFT部１１５−２、及びGI付加部１１６−２によって、送信アンテナ１２１−２を介して垂直偏波の放送信号が送信される。そのため、図６に示した送信装置１０では、OFDMフレーム構成部１１２−１、１１２−２、IFFT部１１５−１、１１５−２、及びGI付加部１１６−１、１１６−２によって、送信部が構成されるとも言える。
【００９３】
また、ここでは、説明の簡略化のため、現行方式（ISDB-T方式）の放送サービスとして、現行２Ｋ放送についてのみ説明したが、実際には、ワンセグ放送も含まれる。すなわち、現行方式（ISDB-T方式）では、13個のセグメントのうち、12個のセグメントが、固定受信機向けの放送（現行２Ｋ放送）に用いられ、残りの１セグメントがモバイル受信機向けの放送（ワンセグ放送）に用いられる。
【００９４】
（送信処理の流れ）
ここで、図７のフローチャートを参照して、図６の送信装置１０により実行される送信処理の流れを説明する。
【００９５】
ステップＳ１０１において、FEC符号化変調・インタリーブ部１１１−１は、そこに入力される2K信号に対し、前方誤り訂正符号化変調処理、時間インタリーブ、及び周波数インタリーブ等の処理を行う。
【００９６】
ステップＳ１０２において、FEC符号化変調・インタリーブ部１１１−２は、そこに入力される4K信号に対し、前方誤り訂正符号化変調処理、時間インタリーブ、及び周波数インタリーブ等の処理を行う。
【００９７】
ステップＳ１０３において、TMCC生成部１１３−１は、現行TMCC信号を生成する。また、ステップＳ１０４において、TMCC生成部１１３−２は、次世代TMCC信号を生成する。なお、このとき、パイロット生成部１１４によって、パイロット信号（SP信号）が生成される。
【００９８】
ステップＳ１０５において、OFDMフレーム構成部１１２−１は、2K FEC信号、4K FEC信号、現行TMCC信号、及びパイロット信号に基づいて、現行方式に対応したOFDMフレームを構成（生成）する。
【００９９】
ステップＳ１０６において、OFDMフレーム構成部１１２−２は、4K FEC信号、次世代TMCC信号、及びパイロット信号に基づいて、次世代方式に対応したOFDMフレームを構成（生成）する。
【０１００】
このようにして生成されたOFDMフレームの変調信号に対しては、IFFTやガードインターバルが付加される。そして、2K信号及び4K信号とともに現行TMCC信号を含む放送信号が、送信アンテナ１２１−１を介して水平偏波として送出され（Ｓ１０７）、4K信号とともに次世代TMCC信号を含む放送信号が、送信アンテナ１２１−２を介して垂直偏波として送出される（Ｓ１０８）。
【０１０１】
ステップＳ１０７，Ｓ１０８の処理が終了すると、図７に示した送信処理は終了される。
【０１０２】
以上、送信処理の流れを説明した。
【０１０３】
（受信装置の構成）
図８は、図１の受信装置２０の構成の例を示すブロック図である。
【０１０４】
図８において、受信装置２０は、OFDM復調部２１１−１、OFDM復調部２１１−２、TMCC復調復号部２１２−１、TMCC復調復号部２１２−２、デインタリーブ・FEC復調復号部２１３−１、及びMIMO等化・デインタリーブ・FEC復調復号部２１３−２から構成される。
【０１０５】
なお、図８においては、現行方式と次世代方式の両方式に対応した受信装置２０の構成を示しているが、現行受信装置２０Ｌは、OFDM復調部２１１−１、TMCC復調復号部２１２−１、及びデインタリーブ・FEC復調復号部２１３−１を少なくとも含んで構成される。また、次世代受信装置２０Ｎは、OFDM復調部２１１−１、OFDM復調部２１１−２、TMCC復調復号部２１２−２、及びMIMO等化・デインタリーブ・FEC復調復号部２１３−２を少なくとも含んで構成される。
【０１０６】
OFDM復調部２１１−１は、現行方式の仕様に対応したOFDMフレームに関する処理を行う受信部（の一部）である。OFDM復調部２１１−１は、受信アンテナ２２１−１を介して受信される水平偏波の放送信号に対してOFDM復調処理を施し、その結果得られる復調信号を、TMCC復調復号部２１２−１、デインタリーブ・FEC復調復号部２１３−１、及びMIMO等化・デインタリーブ・FEC復調復号部２１３−２に供給する。
【０１０７】
なお、OFDM復調部２１１−１によるOFDM復調処理としては、例えば、ガードインターバル（GI）を除去する処理や、時間領域の信号を周波数領域の信号に変換する高速フーリエ変換（FFT：Fast Fourier Transform）、OFDMフレームを復調する処理などを含む。
【０１０８】
TMCC復調復号部２１２−１は、OFDM復調部２１１−１から供給される復調信号に対してTMCC復調復号処理を施し、その結果得られる現行TMCC信号を、デインタリーブ・FEC復調復号部２１３−１に供給する。
【０１０９】
デインタリーブ・FEC復調復号部２１３−１は、現行方式の仕様に対応した前方誤り訂正（FEC）やデインタリーブに関する処理を行う信号処理部である。
【０１１０】
デインタリーブ・FEC復調復号部２１３−１は、TMCC復調復号部２１２−１から供給される現行TMCC信号に基づき、OFDM復調部２１１−１から供給される復調信号（2K FEC信号）に対して、例えば、周波数デインタリーブ、時間デインタリーブ、及び前方誤り訂正復調復号処理等の処理を施し、その結果得られる2K信号を、後段の回路（例えばデコーダ等）に出力する。
【０１１１】
OFDM復調部２１１−２は、次世代方式に対応したOFDMフレームに関する処理を行う受信部（の一部）である。OFDM復調部２１１−２は、受信アンテナ２２１−２を介して受信される垂直偏波の放送信号に対してOFDM復調処理を施し、その結果得られる復調信号を、TMCC復調復号部２１２−２、及びMIMO等化・デインタリーブ・FEC復調復号部２１３−２に供給する。
【０１１２】
なお、OFDM復調部２１１−２によるOFDM復調処理としては、例えば、ガードインターバル（GI）を除去する処理や、時間領域の信号を周波数領域の信号に変換する高速フーリエ変換（FFT）、OFDMフレームを復調する処理などを含む。
【０１１３】
MIMO等化・デインタリーブ・FEC復調復号部２１３−２は、水平偏波の受信信号と垂直偏波の受信信号とのMIMO等化を行い、次世代方式の仕様に対応した前方誤り訂正（FEC）やデインタリーブに関する処理を行う信号処理部である。
【０１１４】
MIMO等化・デインタリーブ・FEC復調復号部２１３−２は、TMCC復調復号部２１２−２から供給される次世代TMCC信号に基づき、OFDM復調部２１１−１及びOFDM復調部２１１−２からそれぞれ供給される復調信号（4K FEC信号）に対して、例えば、ゼロフォーシング（ZF：Zero Forcing）法によるMIMO等化、周波数デインタリーブ、時間デインタリーブ、及び前方誤り訂正復調復号処理等の処理を施し、その結果得られる4K信号を、後段の回路に出力する。
【０１１５】
以上のように構成される受信装置２０のうち、現行受信装置２０Ｌでは、MIMO方式による水平偏波（図３の水平偏波）の放送信号が受信アンテナ２２１−１を介して受信され、水平偏波の放送信号から得られる現行TMCC信号に基づき、水平偏波の放送信号から得られる2K信号が処理され、２Ｋコンテンツが視聴可能とされる。
【０１１６】
また、次世代受信装置２０Ｎでは、MIMO方式による水平偏波（図３の水平偏波）及び垂直偏波（図４又は図５の垂直偏波）の放送信号が、受信アンテナ２２１−１及び受信アンテナ２２１−２を介してそれぞれ受信され、垂直偏波の放送信号から得られる次世代TMCC信号に基づき、水平偏波及び垂直偏波の放送信号から得られる4K信号が処理され、４Ｋコンテンツが視聴可能とされる。
【０１１７】
なお、図８に示した受信装置２０においては、OFDM復調部２１１−１によって、受信アンテナ２２１−１を介して水平偏波の放送信号が受信され、OFDM復調部２１１−２によって、受信アンテナ２２１−２を介して垂直偏波の放送信号が受信される。そのため、図８に示した受信装置２０では、OFDM復調部２１１−１及びOFDM復調部２１１−２によって、受信部が構成されるとも言える。
【０１１８】
また、ここでも、説明の簡略化のため、現行方式（ISDB-T方式）の放送サービスとして、ワンセグ放送を含めずに、現行２Ｋ放送についてのみ説明した。
【０１１９】
（現行方式に対応した受信処理の流れ）
ここで、図９のフローチャートを参照して、図８の現行受信装置２０Ｌにより実行される受信処理の流れを説明する。
【０１２０】
ステップＳ２０１において、OFDM復調部２１１−１は、受信アンテナ２２１−１を介して受信される水平偏波の放送信号に対し、OFDM復調処理を行う。
【０１２１】
ステップＳ２０２において、TMCC復調復号部２１２−１は、水平偏波の復調信号に対し、TMCC復調復号処理を行う。このTMCC復調復号処理により、水平偏波の放送信号で伝送される現行TMCC信号が得られる。
【０１２２】
ステップＳ２０３において、デインタリーブ・FEC復調復号部２１３−１は、水平偏波の放送信号から得られる現行TMCC信号に基づき、水平偏波の復調信号のうち現行放送信号に対し、周波数デインタリーブ、時間デインタリーブ、及び前方誤り訂正復調復号処理等の処理を行う。これらの処理が行われることで、水平偏波の放送信号で伝送される2K信号が得られる。
【０１２３】
そして、現行受信装置２０Ｌでは、水平偏波の放送信号から得られた2K信号に対して、デコードやレンダリング等の処理が行われることで、2K信号に応じた映像がディスプレイに表示され、その映像に同期した音声がスピーカから出力される。これにより、ユーザは、２Ｋコンテンツを視聴できる。
【０１２４】
ステップＳ２０３の処理が終了すると、図９に示した受信処理は終了される。
【０１２５】
（次世代方式に対応した受信処理の流れ）
次に、図１０のフローチャートを参照して、図８の次世代受信装置２０Ｎにより実行される受信処理の流れを説明する。
【０１２６】
ステップＳ２３１において、OFDM復調部２１１−１は、受信アンテナ２２１−１を介して受信される水平偏波の放送信号に対し、OFDM復調処理を行う。また、ステップＳ２３２において、OFDM復調部２１１−２は、受信アンテナ２２１−２を介して受信される垂直偏波の放送信号に対し、OFDM復調処理を行う。
【０１２７】
ステップＳ２３３において、TMCC復調復号部２１２−１は、水平偏波の復調信号に対し、TMCC復調復号処理を行う。このTMCC復調復号処理により、水平偏波の放送信号で伝送される現行TMCC信号を得るとともに、垂直偏波の復調信号（OFDM復調信号）との同期をとることができる。
【０１２８】
また、ステップＳ２３４において、TMCC復調復号部２１２−２は、垂直偏波の復調信号に対し、TMCC復調復号処理を行う。このTMCC復調復号処理により、垂直偏波の放送信号で伝送される次世代TMCC信号が得られる。
【０１２９】
ステップＳ２３５において、MIMO等化・デインタリーブ・FEC復調復号部２１３−２は、垂直偏波の放送信号から得られる次世代TMCC信号に基づき、水平偏波及び垂直偏波の復調信号のうち次世代放送信号に対し、MIMO等化、周波数デインタリーブ、時間デインタリーブ、及び前方誤り訂正復調復号処理等の処理を行う。これらの処理が行われることで、水平偏波及び垂直偏波の放送信号で伝送される4K信号が得られる。
【０１３０】
そして、次世代受信装置２０Ｎでは、水平偏波及び垂直偏波の放送信号から得られた4K信号に対して、デコードやレンダリング等の処理が行われることで、4K信号に応じた映像がディスプレイに表示され、その映像に同期した音声がスピーカから出力される。これにより、ユーザは、４Ｋコンテンツを視聴できる。
【０１３１】
ステップＳ２３４の処理が終了すると、図１０に示した受信処理は終了される。
【０１３２】
以上、現行方式と次世代方式に対応した受信処理の流れを説明した。
【０１３３】
＜２．変形例＞
【０１３４】
（他の放送方式の例）
上述した説明としては、地上デジタルテレビジョン放送の放送方式として、ISDB-T方式を説明したが、本技術は、他の放送方式に適用してもよい。また、地上波（地上波放送）に限らず、例えば、例えば、放送衛星（BS：Broadcasting Satellite）や通信衛星（CS：Communications Satellite）を利用した衛星放送、あるいは、ケーブルを用いた有線放送（CATV：Common Antenna TeleVision）などの放送方式に適用してもよい。
【０１３５】
（受信装置の他の構成）
また、上述した説明では、受信装置２０（図１）は、テレビ受像機やセットトップボックス（STB）などの固定受信機として構成されるとして説明したが、固定受信機には、例えば、録画機、ゲーム機、パーソナルコンピュータ、ネットワークストレージなどの電子機器を含めてもよい。さらに、受信装置２０（図１）としては、固定受信機に限らず、例えば、スマートフォンや携帯電話機、タブレット型コンピュータ等のモバイル受信機、車載テレビ等の車両に搭載される車載機器、ヘッドマウントディスプレイ（HMD：Head Mounted Display）等のウェアラブルコンピュータなどの電子機器を含めてもよい。
【０１３６】
さらに、図６に示した構成を有する送信装置１０を、変調装置又は変調部（例えば変調回路）などとして捉えてもよい。同様に、図８に示した構成を有する受信装置２０を、復調装置又は復調部（例えば復調回路や復調IC）などとして捉えてもよい。
【０１３７】
（通信回線を含む構成）
また、伝送システム１（図１）においては、図示していないが、インターネット等の通信回線に対し、各種のサーバが接続されるようにして、通信機能を有する受信装置２０（図１）が、インターネット等の通信回線を介して、各種のサーバにアクセスして双方向の通信を行うことで、コンテンツやアプリケーション等の各種のデータを受信できるようにしてもよい。
【０１３８】
（その他）
なお、本開示において用いられる用語は、一例であって、他の用語が用いられるのを意図的に排除するものではない。例えば、上述した説明において、フレームは、例えば、パケットなどの他の用語で置き換えられる場合がある。
【０１３９】
また、本開示において、「２Ｋ映像」とは、概ね1920×1080ピクセル前後の画面解像度に対応した映像であり、「４Ｋ映像」とは、概ね3840×2160ピクセル前後の画面解像度に対応した映像である。また、上述した説明では、放送コンテンツとして、現行２Ｋ放送（現行方式）で伝送される２Ｋ映像の２Ｋコンテンツと、次世代４Ｋ放送（次世代方式）で伝送される４Ｋ映像の４Ｋコンテンツを説明したが、次世代方式で伝送される放送コンテンツとしては、８Ｋ映像等のさらに高画質のコンテンツであってもよい。ただし、「８Ｋ映像」とは、概ね7680×4320ピクセル前後の画面解像度に対応した映像である。
【０１４０】
＜３．コンピュータの構成＞
【０１４１】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１１は、上述した一連の処理をプログラムにより実行するコンピュータのハードウェアの構成例を示す図である。
【０１４２】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１４３】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０１４４】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１４５】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０１４６】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１４７】
ここで、本開示において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されてもよいし、複数のコンピュータによって分散処理されてもよい。
【０１４８】
なお、本技術の実施の形態は、上述した実施の形態に限定されるものではなく、本技術の要旨を逸脱しない範囲において種々の変更が可能である。
【０１４９】
また、本技術は、以下のような構成をとることができる。
【０１５０】
（１）
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、
前記第２のコンテンツの信号を含む第２の放送信号に、前記第２の方式に対応した第２の伝送制御信号を含めて第２の送信アンテナを介して送信する
送信部を備える
送信装置。
（２）
前記送信部は、前記第１の送信アンテナ及び前記第２の送信アンテナを用いたMIMO方式に対応しており、
前記第１の放送信号は、水平偏波として送信され、
前記第２の放送信号は、垂直偏波として送信される
前記（１）に記載の送信装置。
（３）
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは対応している
前記（２）に記載の送信装置。
（４）
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは異なっている
前記（２）に記載の送信装置。
（５）
前記垂直偏波において、
前記水平偏波における前記第１の伝送制御信号を伝送するキャリアの位置に対応する対応位置のキャリアで、NULLが伝送され、
前記対応位置を除いた位置のキャリアで、前記第２の伝送制御信号を伝送する
前記（４）に記載の送信装置。
（６）
前記対応位置は、前記水平偏波におけるパイロット信号を伝送するキャリアの位置に対応する位置をさらに含む
前記（５）に記載の送信装置。
（７）
前記水平偏波は、前記第２のコンテンツの信号の一部を含み、
前記垂直偏波は、前記第２のコンテンツの信号の残りの一部を含む
前記（２）乃至（６）のいずれかに記載の送信装置。
（８）
前記第２の方式は、前記第１の方式の次世代方式を含み、
前記送信部は、前記第１の方式と前記第２の方式との移行期間に、前記第１の放送信号に前記第１の伝送制御信号を含めて前記第１の送信アンテナを介して送信するとともに、前記第２の放送信号に前記第２の伝送制御信号を含めて前記第２の送信アンテナを介して送信する
前記（１）乃至（７）のいずれかに記載の送信装置。
（９）
前記第１の方式は、ISDB-T方式を含み、
前記第２の方式は、前記ISDB-T方式の次世代方式を含む
前記（８）に記載の送信装置。
（１０）
送信装置が、
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、
前記第２のコンテンツの信号を含む第２の放送信号に、前記第２の方式に対応した第２の伝送制御信号を含めて第２の送信アンテナを介して送信する
送信方法。
（１１）
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置
から送信されてくる前記第１の放送信号を第１の受信アンテナを介して受信する受信部を備える
受信装置。
（１２）
受信した前記第１の放送信号に含まれる前記第１の伝送制御信号に基づいて、受信した前記第１の放送信号に含まれる前記第１のコンテンツの信号に対する復調及び復号を含む処理を行う第１の信号処理部をさらに備える
前記（１１）に記載の受信装置。
（１３）
前記受信部は、前記第１の放送信号を前記第１の受信アンテナを介して受信するとともに、前記第２の放送信号を第２の受信アンテナを介して受信し、
受信した前記第２の放送信号に含まれる前記第２の伝送制御信号に基づいて、受信した前記第１の放送信号及び前記第２の放送信号に含まれる前記第２のコンテンツの信号に対する復調及び復号を含む処理を行う第２の信号処理部をさらに備える
前記（１１）に記載の受信装置。
（１４）
前記第１の放送信号は、MIMO方式における水平偏波として送信され、
前記第２の放送信号は、MIMO方式における垂直偏波として送信される
前記（１１）乃至（１３）のいずれかに記載の受信装置。
（１５）
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは対応している
前記（１４）に記載の受信装置。
（１６）
前記第１の放送信号及び前記第２の放送信号は、OFDM変調が施されており、
前記水平偏波における前記第１の伝送制御信号を伝送するキャリアの位置と、前記垂直偏波における前記第２の伝送制御信号を伝送するキャリアの位置とは異なっている
前記（１４）に記載の受信装置。
（１７）
前記垂直偏波において、
前記水平偏波における前記第１の伝送制御信号を伝送するキャリアの位置に対応する対応位置のキャリアで、NULLが伝送され、
前記対応位置を除いた位置のキャリアで、前記第２の伝送制御信号を伝送する
前記（１６）に記載の受信装置。
（１８）
前記対応位置は、前記水平偏波におけるパイロット信号を伝送するキャリアの位置に対応する位置をさらに含む
前記（１７）に記載の受信装置。
（１９）
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる放送信号を受信可能な受信装置が、
前記送信装置から送信されてくる前記第１の放送信号を第１の受信アンテナを介して受信し、
受信した前記第１の放送信号に含まれる前記第１の伝送制御信号に基づいて、受信した前記第１の放送信号に含まれる前記第１のコンテンツの信号に対する復調及び復号を含む処理を行う
受信方法。
（２０）
第１の方式に対応した第１のコンテンツの信号及び第２の方式に対応した第２のコンテンツの信号を含む第１の放送信号に、前記第１の方式に対応した第１の伝送制御信号を含めて第１の送信アンテナを介して送信するとともに、前記第２のコンテンツの信号を含む第２の放送信号に、前記第２の方式に対応した第２の伝送制御信号を含めて第２の送信アンテナを介して送信する送信部を備える送信装置から送信されてくる放送信号を受信可能な受信装置が、
前記送信装置から送信されてくる前記第１の放送信号を第１の受信アンテナを介して受信するとともに、前記第２の放送信号を第２の受信アンテナを介して受信し、
受信した前記第２の放送信号に含まれる前記第２の伝送制御信号に基づいて、受信した前記第１の放送信号及び前記第２の放送信号に含まれる前記第２のコンテンツの信号に対する復調及び復号を含む処理を行う
受信方法。
【符号の説明】
【０１５１】
１  伝送システム，  １０  送信装置，  １１，１１−１乃至１１−Ｎ  データ処理装置，  ２０，２０−１乃至２０−Ｍ  受信装置，  ２０Ｌ  現行受信装置，  ２０Ｎ  次世代受信装置，  １１１−１，１１１−２  FEC符号化変調・インタリーブ部，  １１２−１，１１２−２  OFDMフレーム構成部，  １１３−１，１１３−２  TMCC生成部，  １１４  パイロット生成部，  １１５−１，１１５−２  IFFT部，  １１６−１，１１６−２  GI付加部，  １２１−１，１２１−２  送信アンテナ，  ２１１−１，２１１−２  OFDM復調部，  ２１２−１，２１２−２  TMCC復調復号部，  ２１３−１  デインタリーブ・FEC復調復号部，  ２１３−２  MIMO等化・デインタリーブ・FEC復調復号部，  ２２１−１，２２１−２  受信アンテナ，  １０００  コンピュータ，  １００１  CPU
【図１】
2020096231.tif 000003
【図２】
2020096231.tif 000004
【図３】
2020096231.tif 000005
【図４】
2020096231.tif 000006
【図５】
2020096231.tif 000007
【図６】
2020096231.tif 000008
【図７】
2020096231.tif 000009
【図８】
2020096231.tif 000010
【図９】
2020096231.tif 000011
【図１０】
2020096231.tif 000012
【図１１】
2020096231.tif 000013